(57)【要約】【課題】スキャナからＰＣへの画像転送を高速に行うとともに、イメージセンサの取り付け位置ずれを吸収して原稿の画像領域を切り出す。【解決手段】スキャナ１は、原稿の表面側および裏面側をそれぞれ読み取るイメージセンサ１０ａ，１０ｂと、それぞれ読み取った生の画像データを一時格納する生画像バッファメモリ１１ａ，１１ｂと、生画像バッファメモリ１１ａの画像データを解析して原稿の画像領域を検出するＣＰＵ１２と、原稿の画像領域情報に基づいて生画像バッファメモリ１１ａ，１１ｂの画像データから表面側および裏面側それぞれの画像領域よりも大きな領域で原稿の画像を抽出するＡＳＩＣ１３ａ，１３ｂとを有し、ＰＣ２は、スキャナ１から原稿の表面側および裏面側の画像を取得し、それぞれの画像から別々に原稿の画像領域を検出し、表面側および裏面側のそれぞれの原稿の画像領域のみを抽出する。【選択図】図１
2009284191.tif 000002
【特許請求の範囲】
【請求項１】
原稿の画像を読み取る画像読み取り装置と、
この画像読み取り装置が接続されるホストコンピュータとから構成され、
前記画像読み取り装置は、
前記原稿の表面側および裏面側をそれぞれ読み取る対のイメージセンサと、
前記対のイメージセンサによりそれぞれ読み取った生の画像データを一時格納するバッファ手段と、
前記バッファ手段に格納された生の画像データを解析して前記原稿の画像領域を検出する画像解析手段と、
前記画像解析手段により検出された前記原稿の画像領域情報に基づいて前記バッファ手段に格納された生の画像データから前記原稿の表面側および裏面側それぞれの画像領域よりも大きな領域で前記原稿の画像を抽出する画像処理手段とを有し、
前記ホストコンピュータは、前記画像読み取り装置から前記原稿の表面側および裏面側の画像を取得し、表面側の画像および裏面側の画像から別々に原稿の画像領域を検出し、表面側および裏面側のそれぞれの原稿の画像領域のみを抽出するものであることを特徴とする画像読み取りシステム。
【請求項２】
前記対のイメージセンサは、前記原稿の表面側を読み取る第１のイメージセンサと、前記原稿の裏面側を読み取る第２のイメージセンサとから構成され、
前記バッファ手段は、前記第１のイメージセンサにより読み取った生の画像データを一時格納する第１のバッファ手段と、前記第２のイメージセンサにより読み取った生の画像データを一時格納する第２のバッファ手段とから構成され、
前記画像解析手段は、前記第１または第２のいずれか一方のバッファ手段に格納された生の画像データを解析して前記原稿の画像領域を検出するものであり、
前記画像処理手段は、前記画像解析手段により検出された前記原稿の表面側または裏面側のいずれか一方の画像領域情報に基づいて前記第１のバッファ手段に格納された生の画像データから前記原稿の画像領域のみを抽出する第１の画像処理手段と、前記画像解析手段により検出された前記原稿の表面側または裏面側のいずれか一方の画像領域情報に基づいて前記第２のバッファ手段に格納された生の画像データから前記原稿の画像領域のみを抽出する第２の画像処理手段とから構成されるものであることを特徴とする請求項１記載の画像読み取りシステム。
【請求項３】
ホストコンピュータに接続される画像読み取り装置であって、
原稿の表面側および裏面側をそれぞれ読み取る対のイメージセンサと、
前記対のイメージセンサによりそれぞれ読み取った生の画像データを一時格納するバッファ手段と、
前記バッファ手段に格納された生の画像データを解析して前記原稿の画像領域を検出する画像解析手段と、
前記画像解析手段により検出された前記原稿の画像領域情報に基づいて前記バッファ手段に格納された生の画像データから前記原稿の表面側および裏面側それぞれの画像領域よりも大きな領域で前記原稿の画像を抽出する画像処理手段とを有し、
前記ホストコンピュータに、前記原稿の表面側および裏面側の画像を送り、表面側の画像および裏面側の画像から別々に原稿の画像領域を検出させ、表面側および裏面側のそれぞれの原稿の画像領域のみを抽出させることを特徴とする画像読み取り装置。
【請求項４】
前記対のイメージセンサは、前記原稿の表面側を読み取る第１のイメージセンサと、前記原稿の裏面側を読み取る第２のイメージセンサとから構成され、
前記バッファ手段は、前記第１のイメージセンサにより読み取った生の画像データを一時格納する第１のバッファ手段と、前記第２のイメージセンサにより読み取った生の画像データを一時格納する第２のバッファ手段とから構成され、
前記画像解析手段は、前記第１または第２のいずれか一方のバッファ手段に格納された生の画像データを解析して前記原稿の画像領域を検出するものであり、
前記画像処理手段は、前記画像解析手段により検出された前記原稿の表面側または裏面側のいずれか一方の画像領域情報に基づいて前記第１のバッファ手段に格納された生の画像データから前記原稿の画像領域のみを抽出する第１の画像処理手段と、前記画像解析手段により検出された前記原稿の表面側または裏面側のいずれか一方の画像領域情報に基づいて前記第２のバッファ手段に格納された生の画像データから前記原稿の画像領域のみを抽出する第２の画像処理手段とから構成されるものであることを特徴とする請求項３記載の画像読み取り装置。
【発明の詳細な説明】
【技術分野】
【０００１】
本発明は、原稿画像を読み取って入力するための画像読み取りシステムおよび画像読み取り装置に関する。
【背景技術】
【０００２】
原稿の画像を読み取って入力する画像読み取り装置において、実際の原稿よりも大きな範囲を読み取り、この読み取った生画像から原稿の画像領域を切り出す、いわゆるクロップ機能を有するものがある（例えば、特許文献１，２参照。）。また、（特許文献１）に記載のようなオートシートフィーダを備えて複数の原稿を連続的に読み取る画像読み取り装置においては、原稿の表面側および裏面側にそれぞれイメージセンサを備えて、表面および裏面の両面を同時に読み取るものもある。
【０００３】
図５は表面側のイメージセンサと裏面側のイメージセンサの配置状態を示す断面図である。このような両面読み取り型の画像読み取り装置では、図５に示すように装置内の配置の制約上、表面側のイメージセンサ３０ａと裏面側のイメージセンサ３０ｂとが異なる位置に配置されている。そのため、両面読み取りの場合は、表面側のイメージセンサ３０ａと裏面側のイメージセンサ３０ｂとの間の距離を考慮して、表面側と裏面側との読み取りタイミングをずらすことによって、表面側および裏面側ともに原稿の先端から読み取るようにしている。
【特許文献１】特開２００７−１８９５７７号公報
【特許文献２】特開２００７−１７４４７９号公報
【発明の開示】
【発明が解決しようとする課題】
【０００４】
しかしながら、このような画像読み取り装置では、両面をクロップ処理する場合、表面側の読み取り画像だけから原稿の画像領域を検出するため、表面側のイメージセンサ３０ａと裏面側のイメージセンサ３０ｂとの取り付け精度上、位置がずれてしまっていた場合、裏面側の画像が正しくクロップ処理されないという問題がある。
【０００５】
仮に、画像読み取り装置側でクロップ処理せずに、両面の生画像をそのままホストコンピュータへ送り、ホストコンピュータ側で表面側および裏面側の原稿の画像領域を別々に検出すれば、このイメージセンサ３０ｂの取り付け位置ずれは吸収できる。しかし、この場合、画像読み取り装置からホストコンピュータに送られる画像のデータサイズが大きいため、データの転送に要する時間が長くなり、トータルの処理速度が低下する。
【０００６】
そこで、本発明においては、画像読み取り装置からホストコンピュータへの画像転送を高速に行うことが可能であって、かつイメージセンサの取り付け位置ずれを吸収して原稿の画像領域を切り出すことが可能な画像読み取りシステムおよび画像読み取り装置を提供することを目的とする。
【課題を解決するための手段】
【０００７】
上記課題を解決するため、本発明は、原稿の画像を読み取る画像読み取り装置と、この画像読み取り装置が接続されるホストコンピュータとから構成され、画像読み取り装置が、原稿の表面側および裏面側をそれぞれ読み取る対のイメージセンサと、対のイメージセンサによりそれぞれ読み取った生の画像データを一時格納するバッファ手段と、バッファ手段に格納された生の画像データを解析して原稿の画像領域を検出する画像解析手段と、画像解析手段により検出された原稿の画像領域情報に基づいてバッファ手段に格納された生の画像データから原稿の表面側および裏面側それぞれの画像領域よりも大きな領域で原稿の画像を抽出する画像処理手段とを有し、ホストコンピュータが、画像読み取り装置から原稿の表面側および裏面側の画像を取得し、表面側の画像および裏面側の画像から別々に原稿の画像領域を検出し、表面側および裏面側のそれぞれの原稿の画像領域のみを抽出することを特徴とする。
【発明の効果】
【０００８】
本発明によれば、画像読み取り装置からホストコンピュータへの画像転送を高速に行うことが可能であって、かつイメージセンサの取り付け位置ずれを吸収して原稿の画像領域を切り出すことが可能な画像読み取りシステムおよび画像読み取り装置が得られる。
【発明を実施するための最良の形態】
【０００９】
本願の第１の発明は、原稿の画像を読み取る画像読み取り装置と、この画像読み取り装置が接続されるホストコンピュータとから構成され、画像読み取り装置は、原稿の表面側および裏面側をそれぞれ読み取る対のイメージセンサと、対のイメージセンサによりそれぞれ読み取った生の画像データを一時格納するバッファ手段と、バッファ手段に格納された生の画像データを解析して原稿の画像領域を検出する画像解析手段と、画像解析手段により検出された原稿の画像領域情報に基づいてバッファ手段に格納された生の画像データから原稿の表面側および裏面側それぞれの画像領域よりも大きな領域で原稿の画像を抽出する画像処理手段とを有し、ホストコンピュータは、画像読み取り装置から原稿の表面側および裏面側の画像を取得し、表面側の画像および裏面側の画像から別々に原稿の画像領域を検出し、表面側および裏面側のそれぞれの原稿の画像領域のみを抽出するものである
ことを特徴とする画像読み取りシステムである。
【００１０】
本発明によれば、対のイメージセンサによりそれぞれ読み取られた原稿の表面側および裏面側の生の画像データが解析されて原稿の画像領域が検出され、この画像領域情報に基づいて原稿の表面側および裏面側それぞれの画像領域よりも大きな領域で原稿の画像が抽出されてホストコンピュータへ送られるので、画像転送を高速に行うことができるとともに、ホストコンピュータにより、原稿の表面側の画像および裏面側の画像から別々に原稿の画像領域が検出されて、表面側および裏面側のそれぞれの原稿の画像領域のみが抽出されるので、イメージセンサの取り付け位置ずれを吸収することができる。
【００１１】
本願の第２の発明は、前記対のイメージセンサが、原稿の表面側を読み取る第１のイメージセンサと、原稿の裏面側を読み取る第２のイメージセンサとから構成され、バッファ手段が、第１のイメージセンサにより読み取った生の画像データを一時格納する第１のバッファ手段と、第２のイメージセンサにより読み取った生の画像データを一時格納する第２のバッファ手段とから構成され、画像解析手段が、第１または第２のいずれか一方のバッファ手段に格納された生の画像データを解析して原稿の画像領域を検出するものであり、画像処理手段が、画像解析手段により検出された原稿の表面側または裏面側のいずれか一方の画像領域情報に基づいて第１のバッファ手段に格納された生の画像データから原稿の画像領域のみを抽出する第１の画像処理手段と、画像解析手段により検出された原稿の表面側または裏面側のいずれか一方の画像領域情報に基づいて第２のバッファ手段に格納された生の画像データから原稿の画像領域のみを抽出する第２の画像処理手段とから構成されるものであることを特徴とする画像読み取りシステムである。
【００１２】
本発明によれば、第１および第２のイメージセンサによりそれぞれ読み取られた原稿の表面側および裏面側の生の画像データのいずれか一方が解析されて原稿の画像領域が検出され、この画像領域情報に基づいて原稿の表面側および裏面側それぞれの画像領域よりも大きな領域で原稿の画像が抽出されてホストコンピュータへ送られるので、画像転送を高速に行うことができるとともに、ホストコンピュータにより、原稿の表面側の画像および裏面側の画像から別々に原稿の画像領域が検出されて、表面側および裏面側のそれぞれの原稿の画像領域のみが抽出されるので、イメージセンサの取り付け位置ずれを吸収することができる。
【００１３】
本願の第３の発明は、ホストコンピュータに接続される画像読み取り装置であって、原稿の表面側および裏面側をそれぞれ読み取る対のイメージセンサと、対のイメージセンサによりそれぞれ読み取った生の画像データを一時格納するバッファ手段と、バッファ手段に格納された生の画像データを解析して原稿の画像領域を検出する画像解析手段と、画像解析手段により検出された原稿の画像領域情報に基づいてバッファ手段に格納された生の画像データから原稿の表面側および裏面側それぞれの画像領域よりも大きな領域で原稿の画像を抽出する画像処理手段とを有し、ホストコンピュータに、原稿の表面側および裏面側の画像を送り、表面側の画像および裏面側の画像から別々に原稿の画像領域を検出させ、表面側および裏面側のそれぞれの原稿の画像領域のみを抽出させることを特徴とする画像読み取り装置である。
【００１４】
本発明によれば、対のイメージセンサによりそれぞれ読み取られた原稿の表面側および裏面側の生の画像データが解析されて原稿の画像領域が検出され、この画像領域情報に基づいて原稿の表面側および裏面側それぞれの画像領域よりも大きな領域で原稿の画像が抽出されてホストコンピュータへ送られるので、画像転送を高速に行うことができるとともに、ホストコンピュータにより、原稿の表面側の画像および裏面側の画像から別々に原稿の画像領域が検出されて、表面側および裏面側のそれぞれの原稿の画像領域のみが抽出されるので、イメージセンサの取り付け位置ずれを吸収することができる。
【００１５】
本願の第４の発明は、前記対のイメージセンサが、原稿の表面側を読み取る第１のイメージセンサと、原稿の裏面側を読み取る第２のイメージセンサとから構成され、バッファ手段が、第１のイメージセンサにより読み取った生の画像データを一時格納する第１のバッファ手段と、第２のイメージセンサにより読み取った生の画像データを一時格納する第２のバッファ手段とから構成され、画像解析手段が、第１または第２のいずれか一方のバッファ手段に格納された生の画像データを解析して原稿の画像領域を検出するものであり、画像処理手段が、画像解析手段により検出された原稿の表面側または裏面側のいずれか一方の画像領域情報に基づいて第１のバッファ手段に格納された生の画像データから原稿の画像領域のみを抽出する第１の画像処理手段と、画像解析手段により検出された原稿の表面側または裏面側のいずれか一方の画像領域情報に基づいて第２のバッファ手段に格納された生の画像データから原稿の画像領域のみを抽出する第２の画像処理手段とから構成されるものであることを特徴とする画像読み取りシステムである。
【００１６】
本発明によれば、第１および第２のイメージセンサによりそれぞれ読み取られた原稿の表面側および裏面側の生の画像データのいずれか一方が解析されて原稿の画像領域が検出され、この画像領域情報に基づいて原稿の表面側および裏面側それぞれの画像領域よりも大きな領域で原稿の画像が抽出されてホストコンピュータへ送られるので、画像転送を高速に行うことができるとともに、ホストコンピュータにより、原稿の表面側の画像および裏面側の画像から別々に原稿の画像領域が検出されて、表面側および裏面側のそれぞれの原稿の画像領域のみが抽出されるので、イメージセンサの取り付け位置ずれを吸収することができる。
【００１７】
以下、本発明の実施の形態について、図面を参照して説明する。
【００１８】
（実施の形態）
図１は本発明の実施の形態における画像読み取りシステムの構成図である。図２（ａ）はスキャナによりクロップ処理される領域を示す図であって、表面側を示す図である。図２（ｂ）はスキャナによりクロップ処理される領域を示す図であって、裏面側を示す図である。
【００１９】
図１において、本発明の実施の形態における画像読み取りシステムは、画像読み取り装置としてのスキャナ１と、このスキャナ１が接続されるホストコンピュータとしてのパーソナルコンピュータ（以下、「ＰＣ」と称す。）２とから構成される。
【００２０】
スキャナ１は、原稿の表面側および裏面側をそれぞれ読み取る一対のイメージセンサとしての第１および第２のイメージセンサ１０ａ，１０ｂと、第１および第２のイメージセンサ１０ａ，１０ｂにより読み取った生の画像データをそれぞれ一時格納するバッファ手段としての第１および第２の生画像バッファメモリ１１ａ，１１ｂと、原稿の表面側の画像領域の位置、幅および長さを検出する画像解析手段としてのＣＰＵ（Ｃｅｎｔｒａｌ  Ｐｒｏｃｅｓｓｉｎｇ  Ｕｎｉｔ）１２と、生の画像データのうち原稿の画像が含まれる領域を抽出（以下、「クロップ」と称す。）する画像処理手段としての第１および第２のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１３ａ，１３ｂと、ＡＳＩＣ１３ａ，１３ｂにより処理された画像データをＰＣ２へ転送するまでの間、一時格納する第１および第２の出力画像バッファメモリ１４ａ，１４ｂとを有する。
【００２１】
イメージセンサ１０ａ，１０ｂは、光学縮小方式のＣＣＤ（Ｃｈａｒｇｅ  Ｃｏｕｐｌｅｄ  Ｄｅｖｉｃｅ）や密着センサ方式のＣＩＳ（Ｃｏｎｔａｃｔ  Ｉｍａｇｅ  Ｓｅｎｓｏｒ）などの一般的な固体撮像素子により構成されたラインイメージセンサである。なお、図示しないが、本実施の形態におけるスキャナ１は、オートシートフィードを備えて複数の原稿を連続的に読み取るものであり、イメージセンサ１０ａ，１０ｂは固定され、原稿が搬送ローラにより副走査方向に移動されながら、イメージセンサ１０ａ，１０ｂによって原稿の画像が主走査方向に所定ライン単位で読み取られる。読み取られた表面側および裏面側の生の画像データは、それぞれ第１および第２の生画像バッファメモリ１１ａ，１１ｂに一時格納される。
【００２２】
ＣＰＵ１２は、第１の生画像バッファメモリ１１ａに格納された生の画像データを解析して原稿の表面側の画像領域の位置、幅および長さを検出する。なお、原稿の画像領域の位置、幅および長さの検出については公知の方法により行うことができる。そして、ＣＰＵ１２は、この検出した原稿の表面側の画像領域情報を両方のＡＳＩＣ１３ａ，１３ｂに設定する。
【００２３】
ＡＳＩＣ１３ａは、このＣＰＵ１２により検出された原稿の画像領域情報に基づいて生画像バッファメモリ１１ａに格納された生の画像データから原稿の表面側の画像領域よりも大きな領域で原稿の画像をクロップする。なお、ここでは、原稿の表面側の画像領域よりも大きな領域として、図２（ａ）に示すように原稿の表面側の画像領域Ａの原稿搬送方向の前後数ライン分の領域Ｂ1，Ｂ2を加えた領域Ｃで原稿の画像をクロップする。また、裏面側については、ＡＳＩＣ１３ｂは、図２（ｂ）に示すように、この表面側をクロップした領域Ｃと対称な領域Ｃ’で原稿の裏面側の画像をクロップする。クロップされた表面側および裏面側それぞれの画像領域の画像は、ＰＣ２へ転送されるまでの間、それぞれ第１および第２の出力画像バッファメモリ１４ａ，１４ｂに一時格納される。
【００２４】
次に、上記構成の画像読み取りシステムによる画像読み取り処理について説明する。
【００２５】
図３（ａ）は生画像バッファメモリに一時格納される生画像データを示す図であって、表面側を示す図である。図３（ｂ）は生画像バッファメモリに一時格納される生画像データを示す図であって、裏面側を示す図である。
【００２６】
まず、ＰＣ２からスキャナ１のスキャン条件設定を行い、スキャン開始を指示すると、スキャナ１はスキャン処理を開始する。ここで、スキャナ１は、イメージセンサ１０ａ，１０ｂで取り込んだ画像データをそれぞれ生画像バッファメモリ１１ａ，１１ｂに格納する。図３（ａ），（ｂ）は、それぞれ生画像バッファメモリ１１ａ，１１ｂに一時格納される表面側および裏面側の生画像データ２０ａ，２０ｂを示している。
【００２７】
次に、ＣＰＵ１２は、生画像バッファメモリ１１ａに格納された表面側の生の画像データ２０ａを解析し、原稿の画像領域Ａの位置および幅を検出し、ＡＳＩＣ１３ａ，１３ｂにその情報を設定する。そして、ＡＳＩＣ１３ａ，１３ｂは、この設定された情報を元に、原稿の表面側の画像領域Ａの原稿搬送方向の前方数ライン分の領域Ｂ1からクロップ処理を実行する。
【００２８】
また、ＣＰＵ１２は、生画像バッファメモリ１１ａに格納された表面側の生の画像データ２０ａを解析し続け、原稿の後端を検出すると、ＡＳＩＣ１３ａ，１３ｂに原稿画像の長さを設定する。この設定された情報を元に、ＡＳＩＣ１３ａ，１３ｂは、原稿の表面の画像領域Ａの原稿搬送方向の後方数ライン分の領域Ｂ2までクロップ処理を実行する。すなわち、ＡＳＩＣ１３ａ，１３ｂは、生画像バッファメモリ１１ａ，１１ｂに格納された生の画像データから前述の領域Ｃ，Ｃ’によりクロップ処理を実行することになる。
【００２９】
ここで、図４（ａ）は生画像データのうちクロップ処理される領域を示す図であって、表面側を示す図、図４（ｂ）は生画像データのうちクロップ処理される領域を示す図であって、裏面側を示す図である。
【００３０】
図４（ａ），（ｂ）は、表面側および裏面側の生画像データ２０ａ，２０ｂのうちクロップ処理される領域Ｃ，Ｃ’を示している。
【００３１】
これらのＡＳＩＣ１３ａ，１３ｂにて処理された画像データは、出力画像バッファメモリ１４ａ，１４ｂに一時格納される。そして、スキャナ１は、ＰＣ２からの画像読み出しコマンドに応じて出力画像バッファメモリ１４ａ，１４ｂの画像データをＰＣ２へ送る。ＰＣ２は、こうして取得した表面側および裏面側の画像から別々に原稿の画像領域を検出し、表面側および裏面側のそれぞれの原稿の画像領域Ａ，Ｄのみを抽出する。
【００３２】
以上のように、本実施の形態における画像読み取りシステムでは、イメージセンサ１０ａ，１０ｂによりそれぞれ読み取られた原稿の表面側および裏面側の生の画像データ２０ａ，２０ｂのうち表面側の生の画像データ２０ａのみが解析されて原稿の画像領域Ａが検出され、この画像領域情報に基づいて原稿の表面側および裏面側それぞれの画像領域よりも大きな領域Ｃ，Ｃ’で原稿の画像が抽出されてＰＣ２へ送られる。
【００３３】
これにより、本実施の形態における画像読み取りシステムでは、スキャナ１からＰＣ２への画像転送を高速に行うことができる。また、このＰＣ２へ送られた領域Ｃ，Ｃ’の画像は、ＰＣ２により、原稿の表面側の画像および裏面側の画像から別々に原稿の画像領域Ａ，Ｄが検出されて、抽出されるので、イメージセンサ１０ａ，１０ｂの取り付け位置ずれを吸収することができる。
【産業上の利用可能性】
【００３４】
本発明の画像読み取りシステムおよび画像読み取り装置は、原稿画像を読み取って入力するためのものとして有用であり、特に、本発明は、画像読み取り装置からホストコンピュータへの画像転送を高速に行うことが可能であって、かつイメージセンサの取り付け位置ずれを吸収して原稿の画像領域を切り出すことが可能な画像読み取りシステムおよび画像読み取り装置として好適である。
【図面の簡単な説明】
【００３５】
【図１】本発明の実施の形態における画像読み取りシステムの構成図
【図２】（ａ）スキャナによりクロップ処理される領域を示す図であって、表面側を示す図、（ｂ）スキャナによりクロップ処理される領域を示す図であって、裏面側を示す図
【図３】（ａ）生画像バッファメモリに一時格納される生画像データを示す図であって、表面側を示す図、（ｂ）生画像バッファメモリに一時格納される生画像データを示す図であって、裏面側を示す図
【図４】（ａ）生画像データのうちクロップ処理される領域を示す図であって、表面側を示す図、（ｂ）生画像データのうちクロップ処理される領域を示す図であって、裏面側を示す図
【図５】表面側のイメージセンサと裏面側のイメージセンサの配置状態を示す断面図
【符号の説明】
【００３６】
１    スキャナ
２    ＰＣ（パーソナルコンピュータ）
１０ａ，１０ｂ    イメージセンサ
１１ａ，１１ｂ    生画像バッファメモリ
１２    ＣＰＵ
１３ａ，１３ｂ    ＡＳＩＣ
１４ａ，１４ｂ    出力画像バッファメモリ
【図１】
2009284191.tif 000003
【図２】
2009284191.tif 000004
【図３】
2009284191.tif 000005
【図４】
2009284191.tif 000006
【図５】
2009284191.tif 000007